(57)【要約】【課題】  フルカラーＬＥＤ音光システムの制御方法及び装置の提供。【解決手段】  音源特性を利用し、ＬＥＤランプを制御し、サウンドとランプ光に同期変化を発生させ、優れた全体の音光効果を形成し、時として音と光の同期により柔和な印象を与え、時として音と光の同期による高潮感を与え、活発な動態変化を提供するほか、震撼性を増して、革新的なＬＥＤランプシステムを提供する。【選択図】        図１
2005091918.tif 000002
【特許請求の範囲】
【請求項１】
音声周波バンドパスフィルタ（１０）、レベル比較回路（２０）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、レベル比較回路（２０）に出力し、
該レベル比較回路（２０）は、信号を再度増幅し、並びに参考電圧より大きい信号を方形波に変成し、デジタル整合メインコントロール回路（３０）による処理に供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
該デジタル整合メインコントロール回路（３０）は、レベル比較回路（２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、ＬＥＤランプの色を制御し、
これにより、「単一回路周波数制御」式のフルカラーＬＥＤ音光システムを構成する、フルカラーＬＥＤ音光システムの制御装置。
【請求項２】
音声周波バンドパスフィルタ（１０）、高周波バンドパス増幅回路（２１）、低周波バンドパス増幅回路（２２）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤランプの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤランプの色を制御し、
これにより音声周波数により高周波段と低周波段の二つの回路に分けられ、並びにそのうちの一つの周波数段で検出される周波数により背景ＬＥＤカラーを制御し、もう一つの周波数段で検出する周波数により前景ＬＥＤカラーを制御し、前景と背景の配色交換使用可能とされて、双回路周波数制御式のフルカラーＬＥＤ音光システムを構成する、フルカラーＬＥＤ音光システムの制御装置。
【請求項３】
音声周波バンドパスフィルタ（１０）、高周波バンドパス増幅回路（２１）、低周波バンドパス増幅回路（２２）、中周波バンドパス増幅回路（２３）、デジタル整合メインコントロール回路（３０）、マイクロコントロール回路（４０）、及びＬＥＤランプ駆動回路（５０）で構成されている。
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び中周波バンドパス増幅回路（２３）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供し、  該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御し、
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御し、
これにより、音声周波数により「高、低、中」周波数段の三つの回路に区分され、並びに各周波数段で検出する周波数でそれぞれ「青、赤、緑」の三種類のＬＥＤの色を制御し、三回路周波数制御式のフルカラーＬＥＤ音光システムを構成する、フルカラーＬＥＤ音光システムの制御装置。
【請求項４】
音声周波バンドパスフィルタ（１０）、振幅検出回路（２４）、バンドパス増幅回路（２５）、デジタル整合メインコントロール回路（３０）、マイクロコントロール回路（４０）、及びＬＥＤランプ駆動回路（５０）を具え、
そのうち、該音声周波バンドパスフィルタ（１０）は、音源入力時に、先に音源以外の信号を除去し、並びに音源信号を増幅し、並びに振幅検出回路（２４）とバンドパス増幅回路（２５）に出力し、
該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供し、
該バンドパス増幅回路（２５）は、レベル比較回路（２５０）と共に周波数の検出回路を形成し、信号を再度増幅し、並びに参考電圧より大きい信号を方形波に変成し、デジタル整合メインコントロール回路（３０）による処理に供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
振幅の検出回路に接続された該デジタル整合メインコントロール回路（３０）は、アナログ・デジタル変換回路（２４０）からの振幅値を、レジスタに保存し、ＣＰＵの読み取りに供し、且つＣＰＵの基本Ｉ／Ｏ及び走査信号を処理し、並びにＬＥＤランプ駆動回路（５０）に出力し、ＬＥＤの輝度を制御し、
該デジタル整合メインコントロール回路（３０）はまた、周波数の検出回路に接続され、レベル比較回路（２５０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤの色を制御し、
回路の周波数変化によりＬＥＤカラーを制御し、並びに回路振幅によりＬＥＤの輝度を制御し、単一回路周波数と単一回路振幅制御式のフルカラーＬＥＤ音光システムを構成する、フルカラーＬＥＤ音光システムの制御装置。
【請求項５】
音声周波バンドパスフィルタ（１０）、高周波バンドパス増幅回路（２１）、低周波バンドパス増幅回路（２２）、振幅検出回路（２４）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び振幅検出回路（２４）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤの色を制御し、
該デジタル整合メインコントロール回路（３０）は並びに振幅の検出回路に接続され、アナログ・デジタル変換回路（２４０）からの振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、全体輝度を制御し、
周波数で高周波段と低周波段の二つの回路に分けられ、並びにそのうち一つの周波数段の検出する周波数により背景ＬＥＤカラーを制御し、もう一つの周波数段で前景ＬＥＤカラーを制御し、さらに回路振幅によりＬＥＤの全体輝度を制御し、双回路周波数と単一回路振幅制御式のフルカラーＬＥＤ音光システムを構成する、フルカラーＬＥＤ音光システムの制御装置。
【請求項６】
音声周波バンドパスフィルタ（１０）、高周波バンドパス増幅回路（２１）、低周波バンドパス増幅回路（２２）、高周波振幅検出回路（２６）、低周波振幅検出回路（２７）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び振幅検出回路（２４）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  第１検出回路中、該高周波振幅検出回路（２６）は、アナログ・デジタル変換回路（２６０）と共に高周波振幅の検出回路を形成し、高周波段の信号波形のピーク値を取得し、並びにアナログ・デジタル変換回路（２６０）の変換により、デジタル化された高周波段振幅値を獲得し、デジタル整合メインコントロール回路（３０）の読み取りに供し、
第２検出回路中、該低周波振幅検出回路（２７）は、アナログ・デジタル変換回路（２７０）と共に高周波振幅の検出回路を形成し、高周波段の信号波形のピーク値を取得し、並びにアナログ・デジタル変換回路（２７０）の変換により、デジタル化された低周波段振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤの色を制御し、
該デジタル整合メインコントロール回路（３０）は並びに高周波振幅の検出回路に接続されて、アナログ・デジタル変換回路（２６０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第１検出回路と組み合わされて対応するＬＥＤの輝度を制御し、
該デジタル整合メインコントロール回路（３０）は並びに低周波振幅の検出回路に接続されて、アナログ・デジタル変換回路（２７０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第２検出回路と組み合わされて対応するＬＥＤの輝度を制御し、
これにより周波数と振幅により高周波段と低周波段の二つの回路に分けられ、並びにそのうちの一つの周波数段の検出する周波数により背景ＬＥＤカラーを制御し、もう一つの周波数段の検出する周波数により前景ＬＥＤカラーを制御し、また、前景と背景で配色を交換使用可能で、さらにその回路の振幅によりその回路の輝度を制御し、双回路周波数と双回路振幅制御式のフルカラーＬＥＤ音光システムを構成する、フルカラーＬＥＤ音光システムの制御装置。
【請求項７】
音声周波バンドパスフィルタ（１０）、高周波バンドパス増幅回路（２１）、低周波バンドパス増幅回路（２２）、中周波バンドパス増幅回路（２３）、振幅検出回路（２４）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び中周波バンドパス増幅回路（２３）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供し、  該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御し、
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御し、
該デジタル整合メインコントロール回路（３０）は振幅の検出回路に接続され、該アナログ・デジタル変換回路（２４０）からの振幅値をレジスタ内に保存し、且つＣＰＵの基本Ｉ／Ｏ及び走査信号を処理し、並びにＬＥＤランプ駆動回路（５０）に出力し、ＬＥＤの全体輝度を制御し、
音声周波数と振幅で「高、低、中」の周波数段の三つの回路に区分し、並びに各周波数段で検出する周波数でそれぞれ「青、赤、緑」の三種類のＬＥＤの色を制御し、さらに一つの回路振幅により全体の輝度を制御し、三回路周波数単一回路振幅制御式のフルカラーＬＥＤ音光システムを構成する、フルカラーＬＥＤ音光システムの制御装置。
【請求項８】
音声周波バンドパスフィルタ（１０）、高周波バンドパス増幅回路（２１）、低周波バンドパス増幅回路（２２）、中周波バンドパス増幅回路（２３）、高周波振幅検出回路（２６）、低周波振幅検出回路（２７）、中周波振幅検出回路（２８０）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び中周波バンドパス増幅回路（２３）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供し、  第１検出回路中、該高周波振幅検出回路（２６）は、アナログ・デジタル変換回路（２６０）と共に高周波振幅の検出回路を形成し、高周波段の信号波形のピーク値を取得し、並びにアナログ・デジタル変換回路（２６０）の変換により、デジタル化された高周波段振幅値を獲得し、デジタル整合メインコントロール回路（３０）の読み取りに供し、
第２検出回路中、該低周波振幅検出回路（２７）は、アナログ・デジタル変換回路（２７０）と共に高周波振幅の検出回路を形成し、低周波段の信号波形のピーク値を取得し、並びにアナログ・デジタル変換回路（２７０）の変換により、デジタル化された低周波段振幅値を獲得し、デジタル整合メインコントロール回路（３０）の読み取りに供し、
第３検出回路中、該中周波振幅検出回路（２８０）は、アナログ・デジタル変換回路（２８０）と共に中周波振幅の検出回路を形成し、中周波段の信号波形のピーク値を取得し、並びにアナログ・デジタル変換回路（２８０）の変換により、デジタル化された中周波段振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御し、
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御し、
該デジタル整合メインコントロール回路（３０）は並びに高周波振幅の検出回路に接続されて、アナログ・デジタル変換回路（２６０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第１検出回路と組み合わされて対応するＬＥＤの輝度を制御し、
該デジタル整合メインコントロール回路（３０）は並びに低周波振幅の検出回路に接続されて、アナログ・デジタル変換回路（２７０）からの低周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第２検出回路と組み合わされて対応するＬＥＤの輝度を制御し、
該デジタル整合メインコントロール回路（３０）は並びに中周波振幅の検出回路に接続されて、アナログ・デジタル変換回路（２８０）からの中周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第３検出回路と組み合わされて対応するＬＥＤの輝度を制御し、
音声周波数と振幅で「高、低、中」の周波数段の三つの回路に区分され、並びに各周波数段で検出する周波数でそれぞれ「青、赤、緑」の三種類のＬＥＤの色を制御し、さらにその回路の振幅によりその回路の輝度を制御し、三回路周波数と三回路振幅制御式のフルカラーＬＥＤ音光システムを構成する、フルカラーＬＥＤ音光システムの制御装置。
【請求項９】
フルカラーＬＥＤ音光システムの制御方法において、この方法は音声周波バンドパスフィルタ（１０）、レベル比較回路（２０）、デジタル整合メインコントロール回路（３０）、マイクロコントロール回路（４０）、及びＬＥＤランプ駆動回路（５０）により単一回路周波数制御を実行し、且つメインプログラムのフローを具え、システム起動後に、
ステップ１：  レジスタ及びＩ／Ｏ初期値を設定し、並びにＳＲＡＭをクリアし、各パラメータを設定する、
ステップ３：  入力ポート表示機能パラメータ設定値を読み取る、
ステップ６：  サブプログラムを呼び出す、
以上のステップを具え、且つ該メインプログラムのサブプログラムフローは、
ステップ７１：  デジタル整合メインコントロール回路より周波数値を読み取る、
ステップ８１：  周波数値よりＬＥＤ色値を計算する、
ステップ９１：  表示機能パラメータにより表示機能を実行する、
以上のステップを具え、且つサブプログラム実行完成後、呼び出し点に戻るステップ、を具え、
該メインプログラムは更に走査中断サブプログラムを具え、この走査中断サブプログラムのフローは、
ステップ５：  ＳＲＡＭ中の走査バッファエリアのデータに基づき、信号をデジタル整合メインコントロール回路に出力し、且つサブプログラム実行完成後に、呼び出し点に戻る、
以上のステップを具えたことを特徴とする、フルカラーＬＥＤ音光システムの制御方法。
【請求項１０】
請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、デジタル整合メインコントロール回路（３０）、マイクロコントロール回路（４０）、及びＬＥＤランプ駆動回路（５０）により双回路周波数制御を行ない、且つサブプログラムのフローが、  ステップ７２：  デジタル整合メインコントロール回路より高周波及び低周波回路の周波数値を読み取る、
ステップ８２：  高周波の周波数値より背景ＬＥＤ色値を計算し、並びに低周波の周波数値より前景ＬＥＤ色値を計算する、
ステップ９２：  表示機能パラメータにより表示機能を実行し、且つサブプログラム実行完成後、呼び出し点に戻る、
以上のステップを具えたことを特徴とする、フルカラーＬＥＤ音光システムの制御方法。
【請求項１１】
請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、中周波バンドパス増幅回路（２３）、第３レベル比較回路（２３０）、デジタル整合メインコントロール回路（３０）、マイクロコントロール回路（４０）、及びＬＥＤランプ駆動回路（５０）により三回路周波数制御を行ない、且つサブプログラムのフローが、
ステップ７３：  デジタル整合メインコントロール回路より高、中、低周波回路の周波数値を読み取る、
ステップ８３：  高周波の周波数値より青色ＬＥＤ色値を計算し、並びに低周波の周波数値より赤色ＬＥＤ色値を計算し、中周波の周波数値より緑色ＬＥＤ色値を計算する、
ステップ９３：  表示機能パラメータにより表示機能を実行し、且つサブプログラム実行完成後、呼び出し点に戻る、
以上のステップを具えたことを特徴とする、フルカラーＬＥＤ音光システムの制御方法。
【請求項１２】
請求項９記載のフルカラーＬＥＤ音光システムの制御方法において、音声周波バンドパスフィルタ（１０）、振幅検出回路（２４）、アナログ・デジタル変換回路（２４０）、バンドパス増幅回路（２５）、レベル比較回路（２５０）、デジタル整合メインコントロール回路（３０）、マイクロコントロール回路（４０）、及びＬＥＤランプ駆動回路（５０）により単一回路周波数と単一回路振幅制御を行ない、且つサブプログラムのフローが、
ステップ７４：  デジタル整合メインコントロール回路より周波数回路の周波数値と振幅回路の数値を読み取る、
ステップ８４：  周波数値よりＬＥＤの色値を計算し、並びに振幅回路の数値により輝度を調整する、
ステップ９４：  表示機能パラメータにより表示機能を実行し、且つサブプログラム実行完成後、呼び出し点に戻る、
以上のステップを具えたことを特徴とする、フルカラーＬＥＤ音光システムの制御方法。
【請求項１３】
請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、振幅検出回路（２４）、アナログ・デジタル変換回路（２４０）、デジタル整合メインコントロール回路（３０）、マイクロコントロール回路（４０）、及びＬＥＤランプ駆動回路（５０）により双回路周波数と単一回路振幅制御を行ない、且つサブプログラムのフローが、
ステップ７５：  デジタル整合メインコントロール回路より高、低周波数回路の周波数値と振幅回路の数値を読み取る、
ステップ８５：  高周波の周波数値より背景ＬＥＤの色値を計算し、低周波の周波数値より前景ＬＥＤの色値を計算し、並びに振幅回路の数値により輝度を調整する、
ステップ９５：  表示機能パラメータにより表示機能を実行し、且つサブプログラムの実行完成後に呼び出し点に戻る、
以上のステップを具えたことを特徴とする、フルカラーＬＥＤ音光システムの制御方法。
【請求項１４】
請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、高周波振幅検出回路（２６）、アナログ・デジタル変換回路（２６０）、低周波振幅検出回路（２７）、アナログ・デジタル変換回路（２７０）、デジタル整合メインコントロール回路（３０）、マイクロコントロール回路（４０）、及びＬＥＤランプ駆動回路（５０）により双回路周波数と双回路振幅制御を行ない、且つサブプログラムのフローが、
ステップ７６：  デジタル整合メインコントロール回路より高、低周波数回路の周波数値と高、低周波振幅回路の振幅値を読み取る、
ステップ８６：  高周波の周波数値より背景ＬＥＤの色値を計算し、低周波の周波数値より前景ＬＥＤの色値を計算し、並びに高周波振幅の数値により背景輝度を調整し、低周波振幅の数値により前景輝度を調整する、
ステップ９６：  表示機能パラメータにより表示機能を実行し、且つサブプログラム実行完成後、呼び出し点に戻る、
以上のステップを具えたことを特徴とする、フルカラーＬＥＤ音光システムの制御方法。
【請求項１５】
請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、中周波バンドパス増幅回路（２３）、第３レベル比較回路（２３０）、振幅検出回路（２４）、アナログ・デジタル変換回路（２４０）、デジタル整合メインコントロール回路（３０）、マイクロコントロール回路（４０）、及びＬＥＤランプ駆動回路（５０）により三回路周波数と単一回路振幅制御を行ない、且つサブプログラムのフローが、
ステップ７７：  デジタル整合メインコントロール回路より高、中、低周波数回路の周波数値と振幅回路の振幅値を読み取る、
ステップ８７：  低周波の周波数値より赤色ＬＥＤの色値を計算し、中周波の周波数値より緑色ＬＥＤの色値を計算し、高周波の周波数値より青色ＬＥＤの色値を計算し、並びに振幅の数値によりＬＥＤ輝度を調整する、
ステップ９７：  表示機能パラメータにより表示機能を実行し、且つサブプログラム実行完成後、呼び出し点に戻る、
以上のステップを具えたことを特徴とする、フルカラーＬＥＤ音光システムの制御方法。
【請求項１６】
請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、中周波バンドパス増幅回路（２３）、第３レベル比較回路（２３０）、高周波振幅検出回路（２６）、アナログ・デジタル変換回路（２６０）、低周波振幅検出回路（２７）、アナログ・デジタル変換回路（２７０）、中周波振幅検出回路（２８）、アナログ・デジタル変換回路（２８０）、デジタル整合メインコントロール回路（３０）、マイクロコントロール回路（４０）、及びＬＥＤランプ駆動回路（５０）により三回路周波数と三回路振幅制御を行ない、且つサブプログラムのフローが、
ステップ７８：  デジタル整合メインコントロール回路より高、中、低周波数回路の周波数値と高、中、低周波数振幅回路の振幅値を読み取る、
ステップ８８：  低周波の周波数値より赤色ＬＥＤの色値を計算し、中周波の周波数値より緑色ＬＥＤの色値を計算し、高周波の周波数値より青色ＬＥＤの色値を計算し、並びに低周波振幅の数値により赤色ＬＥＤの輝度を調整し、中周波振幅の数値により緑色ＬＥＤの輝度を調整し、高周波振幅の数値により青色ＬＥＤの輝度を調整する、
ステップ９８：  表示機能パラメータにより表示機能を実行し、且つサブプログラム実行完成後、呼び出し点に戻る、
以上のステップを具えたことを特徴とする、フルカラーＬＥＤ音光システムの制御方法。
【発明の詳細な説明】
【技術分野】
【０００１】
本発明は一種のフルカラーＬＥＤ音光システムの制御方法及び装置に係り、ＬＥＤランプと音源に同期の変化を形成させて、優れた全体の音光効果を具備させるフルカラーＬＥＤ音光システムの制御方法及び装置に関する。
【背景技術】
【０００２】
周知のＬＥＤランプシステムは、一般に大型広場、広告看板、或いはレストラン、会場、パブ、コンサート会場などの任意の場所で運用されている。しかし、一般にエンジニアにより回路で制御されている。このため、ＬＥＤランプの変化は音楽と同期性を具備せず、先走ったり、遅延したりし、実用上、現場の音光効果は理想的でない。
【発明の開示】
【発明が解決しようとする課題】
【０００３】
以上から、発明者はＬＥＤランプに音源と同期の変化を形成させるようにすれば、現場の音光効果を同期により時に柔和とし、時に高揚させて、アクティブなものとすることができるほか、その震撼性を増すことができ、時代の要求に符合させることができると考えた。
【０００４】
本発明の主要な目的は、一種のフルカラーＬＥＤ音光システムの制御方法及び装置を提供することにあり、それは以下の長所、特徴及び目的を具備するものとする。
第１に、本発明は直接音声周波数の変化によりＬＥＤの色を制御できて、「単一回路周波数制御」式のフルカラーＬＥＤ音光システムを構成する。
第２に、本発明は音声周波数により高周波段と低周波段の二つの回路に分け、並びにそのうちの一つの周波数段で検出される周波数により背景ＬＥＤカラーを制御し、もう一つの周波数段で検出する周波数により前景ＬＥＤカラーを制御し、これにより「双回路周波数制御」式のフルカラーＬＥＤ音光システムを構成する。
第３に、本発明は音声周波数により「高、低、中」周波数段の三つの回路に区分し、並びに各周波数段で検出する周波数でそれぞれ「青、赤、緑」の三種類のＬＥＤの色を制御し、これにより「三回路周波数制御」式のフルカラーＬＥＤ音光システムを構成する。
第４に、本発明は回路周波数変化によりＬＥＤカラーを制御し、並びに回路振幅によりＬＥＤの輝度を制御し、「単一回路周波数と単一回路振幅制御」式のフルカラーＬＥＤ音光システムを構成する。
第５に、本発明は周波数により高周波段と低周波段の二つの回路に分け、並びにそのうち一つの周波数段の検出する周波数により背景ＬＥＤカラーを制御し、もう一つの周波数段で前景ＬＥＤカラーを制御し、さらに回路振幅によりＬＥＤの全体輝度を制御し、これにより「双回路周波数と単一回路振幅制御」式のフルカラーＬＥＤ音光システムを構成する。
第６に、本発明は、周波数と振幅をそれぞれ区分して高周波段と低周波段の二つの回路に分け、並びにそのうちの一つの周波数段の検出する周波数により背景ＬＥＤカラーを制御し、もう一つの周波数段の検出する周波数により前景ＬＥＤカラーを制御し、さらにその回路の振幅によりその回路の輝度を制御し、これにより「双回路周波数と双回路振幅制御」式のフルカラーＬＥＤ音光システムを構成する。
第７に、本発明は音声周波数と振幅を「高、低、中」周波数段の三つの回路に区分し、並びに各周波数段で検出する周波数でそれぞれ「青、赤、緑」の三種類のＬＥＤの色を制御し、さらに一つの回路振幅により全体の輝度を制御し、これにより「三回路周波数と単一回路振幅制御」式のフルカラーＬＥＤ音光システムを構成する。
第８に、本発明は音声周波数と振幅を「高、低、中」周波数段の三つの回路に区分し、並びに各周波数段で検出する周波数でそれぞれ「青、赤、緑」の三種類のＬＥＤの色を制御し、さらにその回路の振幅によりその回路の輝度を制御し、これにより「三回路周波数と三回路振幅制御」式のフルカラーＬＥＤ音光システムを構成する。
【課題を解決するための手段】
【０００５】
請求項１の発明は、音声周波バンドパスフィルタ（１０）、レベル比較回路（２０）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、レベル比較回路（２０）に出力し、
該レベル比較回路（２０）は、信号を再度増幅し、並びに参考電圧より大きい信号を方形波に変成し、デジタル整合メインコントロール回路（３０）による処理に供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
該デジタル整合メインコントロール回路（３０）は、レベル比較回路（２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、ＬＥＤランプの色を制御し、
これにより、「単一回路周波数制御」式のフルカラーＬＥＤ音光システムを構成する、フルカラーＬＥＤ音光システムの制御装置としている。
請求項２の発明は、音声周波バンドパスフィルタ（１０）、高周波バンドパス増幅回路（２１）、低周波バンドパス増幅回路（２２）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤランプの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤランプの色を制御し、
これにより音声周波数により高周波段と低周波段の二つの回路に分けられ、並びにそのうちの一つの周波数段で検出される周波数により背景ＬＥＤカラーを制御し、もう一つの周波数段で検出する周波数により前景ＬＥＤカラーを制御し、前景と背景の配色交換使用可能とされて、双回路周波数制御式のフルカラーＬＥＤ音光システムを構成する、フルカラーＬＥＤ音光システムの制御装置としている。
請求項３の発明は、音声周波バンドパスフィルタ（１０）、高周波バンドパス増幅回路（２１）、低周波バンドパス増幅回路（２２）、中周波バンドパス増幅回路（２３）、デジタル整合メインコントロール回路（３０）、マイクロコントロール回路（４０）、及びＬＥＤランプ駆動回路（５０）で構成されているとしている。
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び中周波バンドパス増幅回路（２３）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供し、  該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御し、
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御し、
これにより、音声周波数により「高、低、中」周波数段の三つの回路に区分され、並びに各周波数段で検出する周波数でそれぞれ「青、赤、緑」の三種類のＬＥＤの色を制御し、三回路周波数制御式のフルカラーＬＥＤ音光システムを構成する、フルカラーＬＥＤ音光システムの制御装置としている。
請求項４の発明は、音声周波バンドパスフィルタ（１０）、振幅検出回路（２４）、バンドパス増幅回路（２５）、デジタル整合メインコントロール回路（３０）、マイクロコントロール回路（４０）、及びＬＥＤランプ駆動回路（５０）を具え、
そのうち、該音声周波バンドパスフィルタ（１０）は、音源入力時に、先に音源以外の信号を除去し、並びに音源信号を増幅し、並びに振幅検出回路（２４）とバンドパス増幅回路（２５）に出力し、
該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供し、
該バンドパス増幅回路（２５）は、レベル比較回路（２５０）と共に周波数の検出回路を形成し、信号を再度増幅し、並びに参考電圧より大きい信号を方形波に変成し、デジタル整合メインコントロール回路（３０）による処理に供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
振幅の検出回路に接続された該デジタル整合メインコントロール回路（３０）は、アナログ・デジタル変換回路（２４０）からの振幅値を、レジスタに保存し、ＣＰＵの読み取りに供し、且つＣＰＵの基本Ｉ／Ｏ及び走査信号を処理し、並びにＬＥＤランプ駆動回路（５０）に出力し、ＬＥＤの輝度を制御し、
該デジタル整合メインコントロール回路（３０）はまた、周波数の検出回路に接続され、レベル比較回路（２５０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤの色を制御し、
回路の周波数変化によりＬＥＤカラーを制御し、並びに回路振幅によりＬＥＤの輝度を制御し、単一回路周波数と単一回路振幅制御式のフルカラーＬＥＤ音光システムを構成する、フルカラーＬＥＤ音光システムの制御装置としている。
請求項５の発明は、音声周波バンドパスフィルタ（１０）、高周波バンドパス増幅回路（２１）、低周波バンドパス増幅回路（２２）、振幅検出回路（２４）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び振幅検出回路（２４）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤの色を制御し、
該デジタル整合メインコントロール回路（３０）は並びに振幅の検出回路に接続され、アナログ・デジタル変換回路（２４０）からの振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、全体輝度を制御し、
周波数で高周波段と低周波段の二つの回路に分けられ、並びにそのうち一つの周波数段の検出する周波数により背景ＬＥＤカラーを制御し、もう一つの周波数段で前景ＬＥＤカラーを制御し、さらに回路振幅によりＬＥＤの全体輝度を制御し、双回路周波数と単一回路振幅制御式のフルカラーＬＥＤ音光システムを構成する、フルカラーＬＥＤ音光システムの制御装置としている。
請求項６の発明は、音声周波バンドパスフィルタ（１０）、高周波バンドパス増幅回路（２１）、低周波バンドパス増幅回路（２２）、高周波振幅検出回路（２６）、低周波振幅検出回路（２７）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び振幅検出回路（２４）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  第１検出回路中、該高周波振幅検出回路（２６）は、アナログ・デジタル変換回路（２６０）と共に高周波振幅の検出回路を形成し、高周波段の信号波形のピーク値を取得し、並びにアナログ・デジタル変換回路（２６０）の変換により、デジタル化された高周波段振幅値を獲得し、デジタル整合メインコントロール回路（３０）の読み取りに供し、
第２検出回路中、該低周波振幅検出回路（２７）は、アナログ・デジタル変換回路（２７０）と共に高周波振幅の検出回路を形成し、高周波段の信号波形のピーク値を取得し、並びにアナログ・デジタル変換回路（２７０）の変換により、デジタル化された低周波段振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤの色を制御し、
該デジタル整合メインコントロール回路（３０）は並びに高周波振幅の検出回路に接続されて、アナログ・デジタル変換回路（２６０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第１検出回路と組み合わされて対応するＬＥＤの輝度を制御し、
該デジタル整合メインコントロール回路（３０）は並びに低周波振幅の検出回路に接続されて、アナログ・デジタル変換回路（２７０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第２検出回路と組み合わされて対応するＬＥＤの輝度を制御し、
これにより周波数と振幅により高周波段と低周波段の二つの回路に分けられ、並びにそのうちの一つの周波数段の検出する周波数により背景ＬＥＤカラーを制御し、もう一つの周波数段の検出する周波数により前景ＬＥＤカラーを制御し、また、前景と背景で配色を交換使用可能で、さらにその回路の振幅によりその回路の輝度を制御し、双回路周波数と双回路振幅制御式のフルカラーＬＥＤ音光システムを構成する、フルカラーＬＥＤ音光システムの制御装置としている。
請求項７の発明は、音声周波バンドパスフィルタ（１０）、高周波バンドパス増幅回路（２１）、低周波バンドパス増幅回路（２２）、中周波バンドパス増幅回路（２３）、振幅検出回路（２４）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を増幅し、並びに高周波バンドパス増幅回路（２１）と低周波バンドパス増幅回路（２２）及び中周波バンドパス増幅回路（２３）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供し、  該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御し、
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御し、
該デジタル整合メインコントロール回路（３０）は振幅の検出回路に接続され、該アナログ・デジタル変換回路（２４０）からの振幅値をレジスタ内に保存し、且つＣＰＵの基本Ｉ／Ｏ及び走査信号を処理し、並びにＬＥＤランプ駆動回路（５０）に出力し、ＬＥＤの全体輝度を制御し、
音声周波数と振幅で「高、低、中」の周波数段の三つの回路に区分し、並びに各周波数段で検出する周波数でそれぞれ「青、赤、緑」の三種類のＬＥＤの色を制御し、さらに一つの回路振幅により全体の輝度を制御し、三回路周波数単一回路振幅制御式のフルカラーＬＥＤ音光システムを構成する、フルカラーＬＥＤ音光システムの制御装置としている。
請求項８の発明は、音声周波バンドパスフィルタ（１０）、高周波バンドパス増幅回路（２１）、低周波バンドパス増幅回路（２２）、中周波バンドパス増幅回路（２３）、高周波振幅検出回路（２６）、低周波振幅検出回路（２７）、中周波振幅検出回路（２８０）、デジタル整合メインコントロール回路（３０）、マイクロコントロール回路（４０）、及びＬＥＤランプ駆動回路（５０）を具え、
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び中周波バンドパス増幅回路（２３）に出力し、
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供し、  該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供し、  該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供し、  第１検出回路中、該高周波振幅検出回路（２６）は、アナログ・デジタル変換回路（２６０）と共に高周波振幅の検出回路を形成し、高周波段の信号波形のピーク値を取得し、並びにアナログ・デジタル変換回路（２６０）の変換により、デジタル化された高周波段振幅値を獲得し、デジタル整合メインコントロール回路（３０）の読み取りに供し、
第２検出回路中、該低周波振幅検出回路（２７）は、アナログ・デジタル変換回路（２７０）と共に高周波振幅の検出回路を形成し、低周波段の信号波形のピーク値を取得し、並びにアナログ・デジタル変換回路（２７０）の変換により、デジタル化された低周波段振幅値を獲得し、デジタル整合メインコントロール回路（３０）の読み取りに供し、
第３検出回路中、該中周波振幅検出回路（２８０）は、アナログ・デジタル変換回路（２８０）と共に中周波振幅の検出回路を形成し、中周波段の信号波形のピーク値を取得し、並びにアナログ・デジタル変換回路（２８０）の変換により、デジタル化された中周波段振幅値を獲得し、デジタル整合メインコントロール回路（３０）の読み取りに供し、
該マイクロコントロール回路（４０）は、ＣＰＵ、ＲＡＭ、ＲＯＭ等で組成され、且つＲＯＭ中にファームウエアを保存してＣＰＵの一切の動作を制御し、
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御し、
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御し、
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御し、
該デジタル整合メインコントロール回路（３０）は並びに高周波振幅の検出回路に接続されて、アナログ・デジタル変換回路（２６０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第１検出回路と組み合わされて対応するＬＥＤの輝度を制御し、
該デジタル整合メインコントロール回路（３０）は並びに低周波振幅の検出回路に接続されて、アナログ・デジタル変換回路（２７０）からの低周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第２検出回路と組み合わされて対応するＬＥＤの輝度を制御し、
該デジタル整合メインコントロール回路（３０）は並びに中周波振幅の検出回路に接続されて、アナログ・デジタル変換回路（２８０）からの中周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第３検出回路と組み合わされて対応するＬＥＤの輝度を制御し、
音声周波数と振幅で「高、低、中」の周波数段の三つの回路に区分され、並びに各周波数段で検出する周波数でそれぞれ「青、赤、緑」の三種類のＬＥＤの色を制御し、さらにその回路の振幅によりその回路の輝度を制御し、三回路周波数と三回路振幅制御式のフルカラーＬＥＤ音光システムを構成する、フルカラーＬＥＤ音光システムの制御装置としている。
請求項９の発明は、フルカラーＬＥＤ音光システムの制御方法において、この方法は音声周波バンドパスフィルタ（１０）、レベル比較回路（２０）、デジタル整合メインコントロール回路（３０）、マイクロコントロール回路（４０）、及びＬＥＤランプ駆動回路（５０）により単一回路周波数制御を実行し、且つメインプログラムのフローを具え、システム起動後に、
ステップ１：  レジスタ及びＩ／Ｏ初期値を設定し、並びにＳＲＡＭをクリアし、各パラメータを設定する、
ステップ３：  入力ポート表示機能パラメータ設定値を読み取る、
ステップ６：  サブプログラムを呼び出す、
以上のステップを具え、且つ該メインプログラムのサブプログラムフローは、
ステップ７１：  デジタル整合メインコントロール回路より周波数値を読み取る、
ステップ８１：  周波数値よりＬＥＤ色値を計算する、
ステップ９１：  表示機能パラメータにより表示機能を実行する、
以上のステップを具え、且つサブプログラム実行完成後、呼び出し点に戻るステップ、を具え、
該メインプログラムは更に走査中断サブプログラムを具え、この走査中断サブプログラムのフローは、
ステップ５：  ＳＲＡＭ中の走査バッファエリアのデータに基づき、信号をデジタル整合メインコントロール回路に出力し、且つサブプログラム実行完成後に、呼び出し点に戻る、
以上のステップを具えたことを特徴とする、フルカラーＬＥＤ音光システムの制御方法としている。
請求項１０の発明は、請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、デジタル整合メインコントロール回路（３０）、マイクロコントロール回路（４０）、及びＬＥＤランプ駆動回路（５０）により双回路周波数制御を行ない、且つサブプログラムのフローが、
ステップ７２：  デジタル整合メインコントロール回路より高周波及び低周波回路の周波数値を読み取る、
ステップ８２：  高周波の周波数値より背景ＬＥＤ色値を計算し、並びに低周波の周波数値より前景ＬＥＤ色値を計算する、
ステップ９２：  表示機能パラメータにより表示機能を実行し、且つサブプログラム実行完成後、呼び出し点に戻る、
以上のステップを具えたことを特徴とする、フルカラーＬＥＤ音光システムの制御方法としている。
請求項１１の発明は、請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、中周波バンドパス増幅回路（２３）、第３レベル比較回路（２３０）、デジタル整合メインコントロール回路（３０）、マイクロコントロール回路（４０）、及びＬＥＤランプ駆動回路（５０）により三回路周波数制御を行ない、且つサブプログラムのフローが、
ステップ７３：  デジタル整合メインコントロール回路より高、中、低周波回路の周波数値を読み取る、
ステップ８３：  高周波の周波数値より青色ＬＥＤ色値を計算し、並びに低周波の周波数値より赤色ＬＥＤ色値を計算し、中周波の周波数値より緑色ＬＥＤ色値を計算する、
ステップ９３：  表示機能パラメータにより表示機能を実行し、且つサブプログラム実行完成後、呼び出し点に戻る、
以上のステップを具えたことを特徴とする、フルカラーＬＥＤ音光システムの制御方法としている。
請求項１２の発明は、請求項９記載のフルカラーＬＥＤ音光システムの制御方法において、音声周波バンドパスフィルタ（１０）、振幅検出回路（２４）、アナログ・デジタル変換回路（２４０）、バンドパス増幅回路（２５）、レベル比較回路（２５０）、デジタル整合メインコントロール回路（３０）、マイクロコントロール回路（４０）、及びＬＥＤランプ駆動回路（５０）により単一回路周波数と単一回路振幅制御を行ない、且つサブプログラムのフローが、
ステップ７４：  デジタル整合メインコントロール回路より周波数回路の周波数値と振幅回路の数値を読み取る、
ステップ８４：  周波数値よりＬＥＤの色値を計算し、並びに振幅回路の数値により輝度を調整する、
ステップ９４：  表示機能パラメータにより表示機能を実行し、且つサブプログラム実行完成後、呼び出し点に戻る、
以上のステップを具えたことを特徴とする、フルカラーＬＥＤ音光システムの制御方法としている。
請求項１３の発明は、請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、振幅検出回路（２４）、アナログ・デジタル変換回路（２４０）、デジタル整合メインコントロール回路（３０）、マイクロコントロール回路（４０）、及びＬＥＤランプ駆動回路（５０）により双回路周波数と単一回路振幅制御を行ない、且つサブプログラムのフローが、
ステップ７５：  デジタル整合メインコントロール回路より高、低周波数回路の周波数値と振幅回路の数値を読み取る、
ステップ８５：  高周波の周波数値より背景ＬＥＤの色値を計算し、低周波の周波数値より前景ＬＥＤの色値を計算し、並びに振幅回路の数値により輝度を調整する、
ステップ９５：  表示機能パラメータにより表示機能を実行し、且つサブプログラムの実行完成後に呼び出し点に戻る、
以上のステップを具えたことを特徴とする、フルカラーＬＥＤ音光システムの制御方法としている。
請求項１４の発明は、請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、高周波振幅検出回路（２６）、アナログ・デジタル変換回路（２６０）、低周波振幅検出回路（２７）、アナログ・デジタル変換回路（２７０）、デジタル整合メインコントロール回路（３０）、マイクロコントロール回路（４０）、及びＬＥＤランプ駆動回路（５０）により双回路周波数と双回路振幅制御を行ない、且つサブプログラムのフローが、
ステップ７６：  デジタル整合メインコントロール回路より高、低周波数回路の周波数値と高、低周波振幅回路の振幅値を読み取る、
ステップ８６：  高周波の周波数値より背景ＬＥＤの色値を計算し、低周波の周波数値より前景ＬＥＤの色値を計算し、並びに高周波振幅の数値により背景輝度を調整し、低周波振幅の数値により前景輝度を調整する、
ステップ９６：  表示機能パラメータにより表示機能を実行し、且つサブプログラム実行完成後、呼び出し点に戻る、
以上のステップを具えたことを特徴とする、フルカラーＬＥＤ音光システムの制御方法としている。
請求項１５の発明は、請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、中周波バンドパス増幅回路（２３）、第３レベル比較回路（２３０）、振幅検出回路（２４）、アナログ・デジタル変換回路（２４０）、デジタル整合メインコントロール回路（３０）、マイクロコントロール回路（４０）、及びＬＥＤランプ駆動回路（５０）により三回路周波数と単一回路振幅制御を行ない、且つサブプログラムのフローが、
ステップ７７：  デジタル整合メインコントロール回路より高、中、低周波数回路の周波数値と振幅回路の振幅値を読み取る、
ステップ８７：  低周波の周波数値より赤色ＬＥＤの色値を計算し、中周波の周波数値より緑色ＬＥＤの色値を計算し、高周波の周波数値より青色ＬＥＤの色値を計算し、並びに振幅の数値によりＬＥＤ輝度を調整する、
ステップ９７：  表示機能パラメータにより表示機能を実行し、且つサブプログラム実行完成後、呼び出し点に戻る、
以上のステップを具えたことを特徴とする、フルカラーＬＥＤ音光システムの制御方法としている。
請求項１６の発明は、請求項９記載のフルカラーＬＥＤ音光システムの制御方法において、音声周波バンドパスフィルタ（１０）、高周波バンドパス増幅回路（２１）、第１レベル比較回路（２１０）、低周波バンドパス増幅回路（２２）、第２レベル比較回路（２２０）、中周波バンドパス増幅回路（２３）、第３レベル比較回路（２３０）、高周波振幅検出回路（２６）、アナログ・デジタル変換回路（２６０）、低周波振幅検出回路（２７）、アナログ・デジタル変換回路（２７０）、中周波振幅検出回路（２８）、アナログ・デジタル変換回路（２８０）、デジタル整合メインコントロール回路（３０）、マイクロコントロール回路（４０）、及びＬＥＤランプ駆動回路（５０）により三回路周波数と三回路振幅制御を行ない、且つサブプログラムのフローが、
ステップ７８：  デジタル整合メインコントロール回路より高、中、低周波数回路の周波数値と高、中、低周波数振幅回路の振幅値を読み取る、
ステップ８８：  低周波の周波数値より赤色ＬＥＤの色値を計算し、中周波の周波数値より緑色ＬＥＤの色値を計算し、高周波の周波数値より青色ＬＥＤの色値を計算し、並びに低周波振幅の数値により赤色ＬＥＤの輝度を調整し、中周波振幅の数値により緑色ＬＥＤの輝度を調整し、高周波振幅の数値により青色ＬＥＤの輝度を調整する、
ステップ９８：  表示機能パラメータにより表示機能を実行し、且つサブプログラム実行完成後、呼び出し点に戻る、
以上のステップを具えたことを特徴とする、フルカラーＬＥＤ音光システムの制御方法としている。
【発明の効果】
【０００６】
本発明は、音源制御を利用して音と光を同期変化させるフルカラーＬＥＤ音光システムを提供し、それは音声の周波数（高、低）等の特性により、ＬＥＤランプの明暗、色の変化を制御し、サウンドとランプ光に同期変化を発生させ、優れた全体の音光効果を形成し、時として音と光の同期により柔和な印象を与え、時として音と光の同期による高潮感を与え、活発な動態変化を提供するほか、震撼性を増して、革新的なＬＥＤランプシステムを提供する。
【発明を実施するための最良の形態】
【０００７】
図１に示されるように、本発明の方法は、直接音声周波数の変化によりＬＥＤランプの色を制御する。且つ本発明の装置は、音声周波バンドパスフィルタ（１０）、レベル比較回路（２０）、デジタル整合メインコントロール回路（３０）、マイクロコントロール回路（４０）、及びＬＥＤランプ駆動回路（５０）を具えている。
そのうち、該音声周波バンドパスフィルタ（１０）は、音源入力時に、先に音源以外の信号を除去し、並びに音源信号を適度に増幅し、レベル比較回路（２０）に出力する。
該レベル比較回路（２０）は、その信号を再度増幅し、並びに参考電圧より大きい信号を方形波に変成し、デジタル整合メインコントロール回路（３０）による処理に供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
該デジタル整合メインコントロール回路（３０）は、レベル比較回路（２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、ＬＥＤランプの色を制御する。
これにより、「単一回路周波数制御」式のフルカラーＬＥＤ音光システムを構成できる。
【０００８】
図２を参照されたい。第２実施例中、本発明の方法は音声周波数により高周波段と低周波段の二つの回路に分け、並びにそのうちの一つの周波数段で検出される周波数により背景ＬＥＤカラーを制御し、もう一つの周波数段で検出する周波数により前景ＬＥＤカラーを制御し、前景と背景の配色交換使用を可能とする。且つ本発明の装置は音声周波バンドパスフィルタ（１０）、高周波バンドパス増幅回路（２１）、低周波バンドパス増幅回路（２２）、デジタル整合メインコントロール回路（３０）、マイクロコントロール回路（４０）、及びＬＥＤランプ駆動回路（５０）で構成される。
そのうち、該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）に出力する。
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供する。
該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤランプの色を制御する。
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤランプの色を制御する。
こうして「双回路周波数制御」式のフルカラーＬＥＤ音光システムを構成する。
【０００９】
図３に示されるように、本発明の第３実施例によると、本発明の方法は、音声周波数により「高、低、中」周波数段の三つの回路に区分し、並びに各周波数段で検出する周波数でそれぞれ「青、赤、緑」の三種類のＬＥＤの色を制御する。且つ本発明の装置は、音声周波バンドパスフィルタ（１０）、高周波バンドパス増幅回路（２１）、低周波バンドパス増幅回路（２２）、中周波バンドパス増幅回路（２３）、デジタル整合メインコントロール回路（３０）、マイクロコントロール回路（４０）、及びＬＥＤランプ駆動回路（５０）で構成されている。
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び中周波バンドパス増幅回路（２３）に出力する。
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供する。
該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供する。
該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御する。
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御する。
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御する。
これにより「三回路周波数制御」式のフルカラーＬＥＤ音光システムを構成する。
【００１０】
図４に示される第４実施例において、本発明の方法は回路周波数変化によりＬＥＤカラーを制御し、並びに回路振幅によりＬＥＤの輝度を制御する。且つ本発明の装置は、音声周波バンドパスフィルタ（１０）、振幅検出回路（２４）、バンドパス増幅回路（２５）、デジタル整合メインコントロール回路（３０）、マイクロコントロール回路（４０）、及びＬＥＤランプ駆動回路（５０）で構成されている。
そのうち、該音声周波バンドパスフィルタ（１０）は、音源入力時に、先に音源以外の信号を除去し、並びに音源信号を適度に増幅し、並びに振幅検出回路（２４）とバンドパス増幅回路（２５）に出力する。
該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供する。
該バンドパス増幅回路（２５）は、レベル比較回路（２５０）と共に周波数の検出回路を形成し、信号を再度増幅し、並びに参考電圧より大きい信号を方形波に変成し、デジタル整合メインコントロール回路（３０）による処理に供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
振幅の検出回路に接続された該デジタル整合メインコントロール回路（３０）は、アナログ・デジタル変換回路（２４０）からの振幅値を、レジスタに保存し、ＣＰＵの読み取りに供し、且つＣＰＵの基本Ｉ／Ｏ及び走査信号を処理し、並びにＬＥＤランプ駆動回路（５０）に出力し、ＬＥＤの輝度を制御する。
該デジタル整合メインコントロール回路（３０）はまた、周波数の検出回路に接続され、レベル比較回路（２５０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤの色を制御する。
これにより「単一回路周波数と単一回路振幅制御」式のフルカラーＬＥＤ音光システムを構成する。
【００１１】
図５に示される第５実施例によると、本発明の方法は周波数で高周波段と低周波段の二つの回路に分け、並びにそのうち一つの周波数段の検出する周波数により背景ＬＥＤカラーを制御し、もう一つの周波数段で前景ＬＥＤカラーを制御し、さらに回路振幅によりＬＥＤの全体輝度を制御し、且つ本発明の装置は、音声周波バンドパスフィルタ（１０）、高周波バンドパス増幅回路（２１）、低周波バンドパス増幅回路（２２）、振幅検出回路（２４）、デジタル整合メインコントロール回路（３０）、マイクロコントロール回路（４０）、及びＬＥＤランプ駆動回路（５０）で構成されている。
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び振幅検出回路（２４）に出力する。
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供する。
該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供する。
該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤの色を制御する。
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤの色を制御する。
該デジタル整合メインコントロール回路（３０）は並びに振幅の検出回路に接続され、アナログ・デジタル変換回路（２４０）からの振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、全体輝度を制御する。
こうして、「双回路周波数と単一回路振幅制御」式のフルカラーＬＥＤ音光システムを構成する。
【００１２】
図６に示される第６実施例によると、本発明の方法は、周波数と振幅をそれぞれ区分して高周波段と低周波段の二つの回路に分け、並びにそのうちの一つの周波数段の検出する周波数により背景ＬＥＤカラーを制御し、もう一つの周波数段の検出する周波数により前景ＬＥＤカラーを制御し、また、前景と背景で配色を交換使用可能で、さらにその回路の振幅によりその回路の輝度を制御する。且つ本発明の装置は、音声周波バンドパスフィルタ（１０）、高周波バンドパス増幅回路（２１）、低周波バンドパス増幅回路（２２）、高周波振幅検出回路（２６）、低周波振幅検出回路（２７）、デジタル整合メインコントロール回路（３０）、マイクロコントロール回路（４０）、及びＬＥＤランプ駆動回路（５０）で構成されている。
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び振幅検出回路（２４）に出力する。
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供する。
該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供する。
第１検出回路中、該高周波振幅検出回路（２６）は、アナログ・デジタル変換回路（２６０）と共に高周波振幅の検出回路を形成し、高周波段の信号波形のピーク値を取得し、並びにアナログ・デジタル変換回路（２６０）の変換により、デジタル化された高周波段振幅値を獲得し、デジタル整合メインコントロール回路（３０）の読み取りに供する。
第２検出回路中、該低周波振幅検出回路（２７）は、アナログ・デジタル変換回路（２７０）と共に高周波振幅の検出回路を形成し、高周波段の信号波形のピーク値を取得し、並びにアナログ・デジタル変換回路（２７０）の変換により、デジタル化された低周波段振幅値を獲得し、デジタル整合メインコントロール回路（３０）の読み取りに供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、背景ＬＥＤの色を制御する。
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、前景ＬＥＤの色を制御する。
該デジタル整合メインコントロール回路（３０）は並びに高周波振幅の検出回路に接続されて、アナログ・デジタル変換回路（２６０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第１検出回路と組み合わされて対応するＬＥＤの輝度を制御する。
該デジタル整合メインコントロール回路（３０）は並びに低周波振幅の検出回路に接続されて、アナログ・デジタル変換回路（２７０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第２検出回路と組み合わされて対応するＬＥＤの輝度を制御する。
これにより「双回路周波数と双回路振幅制御」式のフルカラーＬＥＤ音光システムを構成する。
【００１３】
図７に示される第７実施例によると、本発明の方法は、音声周波数と振幅を「高、低、中」周波数段の三つの回路に区分し、並びに各周波数段で検出する周波数でそれぞれ「青、赤、緑」の三種類のＬＥＤの色を制御し、さらに一つの回路振幅により全体の輝度を制御し、且つ本発明の装置は、音声周波バンドパスフィルタ（１０）、高周波バンドパス増幅回路（２１）、低周波バンドパス増幅回路（２２）、中周波バンドパス増幅回路（２３）、振幅検出回路（２４）、デジタル整合メインコントロール回路（３０）、マイクロコントロール回路（４０）、及びＬＥＤランプ駆動回路（５０）で構成されている。
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び中周波バンドパス増幅回路（２３）に出力する。
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供する。
該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供する。
該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供する。
該振幅検出回路（２４）は、アナログ・デジタル変換回路（２４０）と共に振幅の検出回路を形成し、信号波形のピーク値を取得し、並びにアナログ・デジタル変換回路（２４０）の変換によりデジタル化した振幅値を獲得し、デジタル整合メインコントロール回路（３０）の読み取りに供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御する。
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御する。
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御する。
該デジタル整合メインコントロール回路（３０）は振幅の検出回路に接続され、該アナログ・デジタル変換回路（２４０）からの振幅値をレジスタ内に保存し、且つＣＰＵの基本Ｉ／Ｏ及び走査信号を処理し、並びにＬＥＤランプ駆動回路（５０）に出力し、ＬＥＤの全体輝度を制御する。
これにより「三回路周波数単一回路振幅制御」式のフルカラーＬＥＤ音光システムを構成する。
【００１４】
図８に示される第８実施例によると、本発明の方法は、音声周波数と振幅を「高、低、中」周波数段の三つの回路に区分し、並びに各周波数段で検出する周波数でそれぞれ「青、赤、緑」の三種類のＬＥＤの色を制御し、さらにその回路の振幅によりその回路の輝度を制御する。本発明の装置は、音声周波バンドパスフィルタ（１０）、高周波バンドパス増幅回路（２１）、低周波バンドパス増幅回路（２２）、中周波バンドパス増幅回路（２３）、高周波振幅検出回路（２６）、低周波振幅検出回路（２７）、中周波振幅検出回路（２８）、デジタル整合メインコントロール回路（３０）、マイクロコントロール回路（４０）、及びＬＥＤランプ駆動回路（５０）で構成されている。
該音声周波バンドパスフィルタ（１０）は、音源入力時に、先に音源以外の信号を除去し、並びに音源信号を適度に増幅し、並びに高周波バンドパス増幅回路（２１）と低周波バンドパス増幅回路（２２）及び中周波バンドパス増幅回路（２３）に出力する。
該高周波バンドパス増幅回路（２１）は、第１レベル比較回路（２１０）と共に高周波段の第１検出回路を形成し、高周波段の信号を再度増幅し、並びに参考電圧より大きい信号を方形波に変成し、デジタル整合メインコントロール回路（３０）による処理に供する。
該低周波バンドパス増幅回路（２２）は、第２レベル比較回路（２２０）と共に低周波段の第２検出回路を形成し、低周波段の信号を再度増幅し、並びに参考電圧より大きい信号を方形波に変成し、デジタル整合メインコントロール回路（３０）による処理に供する。
該中周波バンドパス増幅回路（２３）は、第３レベル比較回路（２３０）と共に中周波段の第３検出回路を形成し、中周波段の信号を再度増幅し、並びに参考電圧より大きい信号を方形波に変成し、デジタル整合メインコントロール回路（３０）による処理に供する。
第１検出回路中、該高周波振幅検出回路（２６）は、アナログ・デジタル変換回路（２６０）と共に高周波振幅の検出回路を形成し、高周波段の信号波形のピーク値を取得し、並びにアナログ・デジタル変換回路（２６０）の変換により、デジタル化された高周波段振幅値を獲得し、デジタル整合メインコントロール回路（３０）の読み取りに供する。
第２検出回路中、該低周波振幅検出回路（２７）は、アナログ・デジタル変換回路（２７０）と共に高周波振幅の検出回路を形成し、低周波段の信号波形のピーク値を取得し、並びにアナログ・デジタル変換回路（２７０）の変換により、デジタル化された低周波段振幅値を獲得し、デジタル整合メインコントロール回路（３０）の読み取りに供する。
第３検出回路中、該中周波振幅検出回路（２８）は、アナログ・デジタル変換回路（２８０）と共に中周波振幅の検出回路を形成し、中周波段の信号波形のピーク値を取得し、並びにアナログ・デジタル変換回路（２８０）の変換により、デジタル化された中周波段振幅値を獲得し、デジタル整合メインコントロール回路（３０）の読み取りに供する。
該マイクロコントロール回路（４０）は、ＣＰＵ、ＲＡＭ、ＲＯＭ等で組成され、且つＲＯＭ中にファームウエアを保存してＣＰＵの一切の動作を制御する。
第１検出回路に接続された該デジタル整合メインコントロール回路（３０）は、第１レベル比較回路（２１０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、青色ＬＥＤの色を制御する。
該デジタル整合メインコントロール回路（３０）は並びに第２検出回路に接続され、第２レベル比較回路（２２０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、赤色ＬＥＤの色を制御する。
該デジタル整合メインコントロール回路（３０）は並びに第３検出回路に接続され、第３レベル比較回路（２３０）からの方形波信号に対して周波数数値を計算し、並びにこの数値をレジスタ内に保存し、ＣＰＵによる読み取りに供し、且つＣＰＵの基本Ｉ／Ｏ及び走査信号を処理し、並びにＬＥＤランプ駆動回路（５０）に出力し、緑色ＬＥＤの色を制御する。
該デジタル整合メインコントロール回路（３０）は並びに高周波振幅の検出回路に接続されて、アナログ・デジタル変換回路（２６０）からの高周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第１検出回路と組み合わされて対応するＬＥＤの輝度を制御する。
該デジタル整合メインコントロール回路（３０）は並びに低周波振幅の検出回路に接続されて、アナログ・デジタル変換回路（２７０）からの低周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第２検出回路と組み合わされて対応するＬＥＤの輝度を制御する。
該デジタル整合メインコントロール回路（３０）は並びに中周波振幅の検出回路に接続されて、アナログ・デジタル変換回路（２８０）からの中周波振段振幅値をレジスタ内に保存し、ＣＰＵによる読み取りに供し、且つＣＰＵの基本Ｉ／Ｏ及び走査信号を処理し、並びにＬＥＤランプ駆動回路（５０）に出力し、第３検出回路と組み合わされて対応するＬＥＤの輝度を制御する。
これにより「三回路周波数と三回路振幅制御」式のフルカラーＬＥＤ音光システムを構成する。
【００１５】
第２、第５実施例中、第１検出回路の計算した周波数の数値は、前景ＬＥＤカラーの制御に使用可能で、且つ第２検出回路の計算した周波数の数値は、背景ＬＥＤカラーの制御に使用可能で、即ち、前景と背景は配色の交換使用可能である。
【００１６】
第３、第７、第８実施例中、第１、第２、第３検出回路の計算した周波数の数値と、青、赤、緑の三種類のＬＥＤカラーの対応制御関係は、青、緑、赤、の対応制御関係、或いは赤、青、緑の対応制御関係、或いは赤、緑、青の対応制御関係、或いは緑、赤、青の対応制御関係とすることができ、いずれも本発明の実行可能な方式である。
【００１７】
図９は本発明の好ましい実施例中の本発明のメインプログラムフローチャートであり、システム起動（開始）後、以下のステップを具えている。
ステップ１：  レジスタ及びＩ／Ｏ初期値を設定し、並びにＳＲＡＭをクリアし、各パラメータを設定する。
ステップ３：  入力ポート表示機能パラメータ設定値を読み取る。
ステップ６：  サブプログラムを呼び出す。
【００１８】
図１０は好ましい実施例（単一回路周波数制御）中の、本発明のサブプログラム（一）のフローチャートであり、以下のステップを具えている。
ステップ７１：  デジタル整合メインコントロール回路より周波数値を読み取る。
ステップ８１：  周波数値よりＬＥＤ色値を計算する。
ステップ９１：  表示機能パラメータにより表示機能を実行する。
且つサブプログラム実行完成後、呼び出し点に戻る。
【００１９】
図１１に示されるように、好ましい実施例において、本発明の走査中断サブプログラムのフローチャートは、以下のステップを具えている。
ステップ５：  ＳＲＡＭ中の走査バッファエリアのデータに基づき、信号をデジタル整合メインコントロール回路に出力する。且つサブプログラム実行完成後に、呼び出し点に戻る。
【００２０】
図１２に示されるように、第２実施例（双回路周波数制御）中、本発明のサブプログラム（二）のフローチャートは以下のステップを具えている。
ステップ７２：  デジタル整合メインコントロール回路より高周波及び低周波回路の周波数値を読み取る。
ステップ８２：  高周波の周波数値より背景ＬＥＤ色値を計算し、並びに低周波の周波数値より前景ＬＥＤ色値を計算する。
ステップ９２：  表示機能パラメータにより表示機能を実行する。
且つサブプログラム実行完成後、呼び出し点に戻る。
【００２１】
図１３に示されるように、第３実施例（三回路周波数制御）中、本発明のサブプログラム（三）のフローチャートは以下のステップを具えている。
ステップ７３：  デジタル整合メインコントロール回路より高、中、低周波回路の周波数値を読み取る。
ステップ８３：  高周波の周波数値より青色ＬＥＤ色値を計算し、並びに低周波の周波数値より赤色ＬＥＤ色値を計算し、中周波の周波数値より緑色ＬＥＤ色値を計算する。
ステップ９３：  表示機能パラメータにより表示機能を実行する。
且つサブプログラム実行完成後、呼び出し点に戻る。
【００２２】
図１４に示されるように、第４実施例（単一回路周波数と単一回路振幅制御）中、本発明のサブプログラム（四）のフローチャートは以下のステップを具えている。
ステップ７４：  デジタル整合メインコントロール回路より周波数回路の周波数値と振幅回路の数値を読み取る。
ステップ８４：  周波数値よりＬＥＤの色値を計算し、並びに振幅回路の数値により輝度を調整する。
ステップ９４：  表示機能パラメータにより表示機能を実行する。
且つサブプログラム実行完成後、呼び出し点に戻る。
【００２３】
図１５に示されるように、第５実施例（双回路周波数と単一回路振幅制御）中、本発明のサブプログラム（五）のフローチャートは以下のステップを具えている。
ステップ７５：  デジタル整合メインコントロール回路より高、低周波数回路の周波数値と振幅回路の数値を読み取る。
ステップ８５：  高周波の周波数値より背景ＬＥＤの色値を計算し、低周波の周波数値より前景ＬＥＤの色値を計算し、並びに振幅回路の数値により輝度を調整する。
ステップ９５：  表示機能パラメータにより表示機能を実行する。
且つサブプログラム実行完成後、呼び出し点に戻る。
【００２４】
図１６に示されるように、第６実施例（双回路周波数と双回路振幅制御）中、本発明のサブプログラム（六）のフローチャートは以下のステップを具えている。
ステップ７６：  デジタル整合メインコントロール回路より高、低周波数回路の周波数値と高、低周波振幅回路の振幅値を読み取る。
ステップ８６：  高周波の周波数値より背景ＬＥＤの色値を計算し、低周波の周波数値より前景ＬＥＤの色値を計算し、並びに高周波振幅の数値により背景輝度を調整し、低周波振幅の数値により前景輝度を調整する。
ステップ９６：  表示機能パラメータにより表示機能を実行する。
且つサブプログラム実行完成後、呼び出し点に戻る。
【００２５】
図１７に示されるように、第７実施例（三回路周波数と単一回路振幅制御）中、本発明のサブプログラム（七）のフローチャートは以下のステップを具えている。
ステップ７７：  デジタル整合メインコントロール回路より高、中、低周波数回路の周波数値と振幅回路の振幅値を読み取る。
ステップ８７：  低周波の周波数値より赤色ＬＥＤの色値を計算し、中周波の周波数値より緑色ＬＥＤの色値を計算し、高周波の周波数値より青色ＬＥＤの色値を計算し、並びに振幅の数値によりＬＥＤ輝度を調整する。
ステップ９７：  表示機能パラメータにより表示機能を実行する。
且つサブプログラム実行完成後、呼び出し点に戻る。
【００２６】
図１８に示されるように、第８実施例（三回路周波数と三回路振幅制御）中、本発明のサブプログラム（八）のフローチャートは以下のステップを具えている。
ステップ７８：  デジタル整合メインコントロール回路より高、中、低周波数回路の周波数値と高、中、低周波数振幅回路の振幅値を読み取る。
ステップ８８：  低周波の周波数値より赤色ＬＥＤの色値を計算し、中周波の周波数値より緑色ＬＥＤの色値を計算し、高周波の周波数値より青色ＬＥＤの色値を計算し、並びに低周波振幅の数値により赤色ＬＥＤの輝度を調整し、中周波振幅の数値により緑色ＬＥＤの輝度を調整し、高周波振幅の数値により青色ＬＥＤの輝度を調整する。
ステップ９８：  表示機能パラメータにより表示機能を実行する。
且つサブプログラム実行完成後、呼び出し点に戻る。
【００２７】
図１９に示されるように、第９実施例中、本発明は前述の各機種を一体に整合し、本発明のメインプログラムのフローチャートを以下のステップを具えたものとしている。
ステップ１：  レジスタ及びＩ／Ｏ初期値を設定し、並びにＳＲＡＭをクリアし、各パラメータを設定する。
ステップ３：  入力ポート表示機能パラメータ設定値を読み取る。
ステップ４：  機種を判断し、並びにそれに対応してステップ６１からステップ６８のいずれかを実行する。
ステップ６１から６８で、判定した機種により、対応するサブプログラム１〜８のいずれかを呼び出し、並びにステップ２に戻る。
【００２８】
ここで特に強調すべきことは、本発明の方法の配色方式は、音声制御方法の違いにより完全に同じではないが、大体はチェックテーブル方式により行なわれ、これにより演算時間を短縮する、ということである。即ち、先に演算結果より配色変換表を構築し、配色変換表を単色変換表とフルカラー変換表の二種類に区分し、その例は以下のとおりである。
【表１】
2005091918.tif 000003
【表２】
2005091918.tif 000004
【００２９】
そのうち、単色変換表は第３実施例の三回路周波数制御法に適用される。
ここで更に強調すべきことは、本発明の方法の「分割方法」であり、好ましい実施例（単回路周波数制御）を例に挙げると、「周波数チャネル」は、２０Ｈｚ〜２０ｋＨｚの間に設計可能で、ゆえに周波数幅は、１９．９８ｋＨｚとされ、もし直接周波数を色表に変換するなら、即ち１９９８０×３バイト＝５９９４０バイトの「変換表」（各組の色表は３バイトを占め、Ｒ、Ｇ、Ｂは順に配列される）が必要となり、その他の実施例（制御法）は、比較的大きなメモリを必要とする。これについては以下のように分けられる。
Ａ．全域均分法：  各レベルの平均周波数幅を２０Ｈｚとし、スケール数は１９９８０／２０＝９９９（ｓｃａｌｅｓ）とされ、２０〜３９Ｈｚが第１色表に対応し、４０〜５９Ｈｚが第２色表に対応し、６０〜７９Ｈｚが第３色表に対応し、これから類推して１９９８０〜１９９９９Ｈｚは第９９９色表に対応するものとされる。
Ｂ．全域分段均分法：  周波数幅を複数の周波数段に分け、各周波数段を更に平均して分割し、即ち、総スケール数＝１０＋１２＋１５＋２０＋４０＋５０＋８０＋７６＝３０３スケールとする。全域均分法と比較すると、僅かに１／３の色表しか必要でなく、且つ分割効果は更に良好であり、その表の例は以下に示されるとおりである。
【表３】
2005091918.tif 000005
Ｃ．全域サイン関数計算分割法（ｓｉｎ０〜９０を取る）
周波数幅ｂｗ＝１９９８０Ｈｚ
スケール数はｓ、周波数はｆと定める；
ｆ０＝ｆ−１９とする。
即ち、その対応する色表ｔｂ＝ｓ×ｓｉｎ〔（ｆ０／ｂｗ）×９０〕
＝ｓ×ｓｉｎ（ｆ０／２２２）
並びにｔｂに対して無条件進位法で整数を取り、
もしスケール数をｓ＝３００と設計するならば、
ｔｂ＝３００ｓｉｎ（ｆ０／２２２）となり、整数を取った後、色表ｔｂの範囲は、
１≦ｔｂ≦３００とされる。
ここで更に強調すべきことは、本発明の方法の振幅で輝度を調整する方式は例えば以下のように説明される。
もし周波数変換のＲ、Ｇ、Ｂ色表値がＦＦ，３Ｆ，７Ｆ（ｈｅｘ）であれば、
振幅数値は９０（ｈｅｘ）とされ、
即ち振幅比＝９０／ＦＦであり，Ｒ、Ｇ、Ｂ各色いずれにも振幅比を更に乗じ、ゆえに調整後のＲ、Ｇ、Ｂ値は以下のようになる。
Ｒ＝ＦＦ×９０／ＦＦ＝９０
Ｇ＝３Ｆ×９０／ＦＦ＝２３
Ｂ＝７Ｆ×９０／ＦＦ＝４７
【図面の簡単な説明】
【００３０】
【図１】本発明の実施例のハードウエアブロック図である。
【図２】本発明の第２実施例のハードウエアブロック図である。
【図３】本発明の第３実施例のハードウエアブロック図である。
【図４】本発明の第４実施例のハードウエアブロック図である。
【図５】本発明の第５実施例のハードウエアブロック図である。
【図６】本発明の第６実施例のハードウエアブロック図である。
【図７】本発明の第７実施例のハードウエアブロック図である。
【図８】本発明の第８実施例のハードウエアブロック図である。
【図９】本発明の実施例のメインプログラムフローチャートである。
【図１０】本発明の実施例のサブプログラムフローチャートである。
【図１１】本発明の走査中断サブプログラムフローチャートである。
【図１２】本発明の第２実施例のサブプログラムフローチャートである。
【図１３】本発明の第３実施例のサブプログラムフローチャートである。
【図１４】本発明の第４実施例のサブプログラムフローチャートである。
【図１５】本発明の第５実施例のサブプログラムフローチャートである。
【図１６】本発明の第６実施例のサブプログラムフローチャートである。
【図１７】本発明の第７実施例のサブプログラムフローチャートである。
【図１８】本発明の第８実施例のサブプログラムフローチャートである。
【図１９】本発明の第９実施例のメインプログラムフローチャートである。
【符号の説明】
【００３１】
１０  音声周波バンドパスフィルタ          ２５０  レベル比較回路
２０  レベル比較回路                      ２６  高周波振幅検出回路
２１  高周波バンドパス増幅回路            ２６０  アナログ・デジタル変換回路
２１０  第１レベル比較回路                ２７  低周波振幅検出回路
２２  低周波バンドパス増幅回路            ２７０  アナログ・デジタル変換回路
２２０  第２レベル比較回路                ２８  中周波振幅検出回路
２３  中周波バンドパス増幅回路            ２８０  アナログ・デジタル変換回路
２３０  第３レベル比較回路
３０  デジタル整合メインコントロール回路
２４  振幅検出回路                        ４０  マイクロコントロール回路
２４０  アナログ・デジタル変換回路        ５０  ＬＥＤランプ駆動回路
２５  バンドパス増幅回路
【図１】
2005091918.tif 000006
【図２】
2005091918.tif 000007
【図３】
2005091918.tif 000008
【図４】
2005091918.tif 000009
【図５】
2005091918.tif 000010
【図６】
2005091918.tif 000011
【図７】
2005091918.tif 000012
【図８】
2005091918.tif 000013
【図９】
2005091918.tif 000014
【図１０】
2005091918.tif 000015
【図１１】
2005091918.tif 000016
【図１２】
2005091918.tif 000017
【図１３】
2005091918.tif 000018
【図１４】
2005091918.tif 000019
【図１５】
2005091918.tif 000020
【図１６】
2005091918.tif 000021
【図１７】
2005091918.tif 000022
【図１８】
2005091918.tif 000023
【図１９】
2005091918.tif 000024